(57)【特許請求の範囲】
【請求項１】
吊りボルトの補強に用いられる吊りボルト補強具であって、
断面がＬ字形状の柱状体と、
前記柱状体の内側の２面に、前記柱状体に対して垂直に設置された複数の爪部と、を有し、
前記複数の爪部が、千鳥状に配置されていることを特徴とする吊りボルト補強具。
【請求項２】
前記爪部の先端形状が、丸み形状であることを特徴とする請求項１記載の吊りボルト補強具。
【請求項３】
前記吊りボルト補強具の材料が金属であって、
前記爪部が前記柱状体を曲げ起こして形成される、または前記爪部が前記柱状体に溶接で固定されることを特徴とする請求項１または２に記載の吊りボルト補強具。
【請求項４】
前記吊りボルト補強具の材料が、硬質ゴムまたは樹脂であることを特徴とする請求項１または２に記載の吊りボルト補強具。
【発明の詳細な説明】
【技術分野】
【０００１】
本発明は、空調機、軒樋等の設置に使用される吊りボルトを補強する吊りボルト補強具に関する。
【背景技術】
【０００２】
屋根裏に設置される空調ダクト、空調機等は上部コンクリート床に固定する必要があるが、その際吊りボルトがしばしば使用される。図５は、空調機８０の設置状態を示した図である。空調機８０は、アンカーボルト５５に挿入、固定された吊りボルト５０を取付座８０ａに挿入しナットＮによって固定される。この垂直方向の吊りボルト５０のみの固定では横方向の揺れに対して充分な強度が得られないため、補強ネジ棒５１が２つの取付金具５２，５３を使って吊りボルト５０と上部コンクリート床の間に斜めに設置され補強が施されている。
【０００３】
また、例えば特許文献１には、吊りボルトを補強する他の技術が開示されている。特許文献１に開示されている従来の補強具１５は、軒樋等を軒先に吊り下げ保持する折板屋根等吊り具９０を補強する補強具である。図６（ａ）は、補強具１５の分解斜視図である。補強具１５の取付対象である折板屋根等吊り具９０は、折板屋根３３の軒先部３３ａに吊り下げ固定される吊りボルト９１と、吊りボルト９１の下部に連結した軒樋吊り具２２とを有している。そして、吊りボルト９１の上部において、防水パッキン２５、山座２４を介して上下のナット２３、２６で固定される。なお、軒樋吊り具２２は、その略中央部で吊りボルト９１と連結されており、その連結部位の前後に、軒樋（不図示）の前耳、後耳を保持する樋耳保持部２２ａ、２２ａを備えている。
【０００４】
補強具１５は、折板屋根等吊り具９０を補強するもので、特に吊りボルト９１に対して補強材として取り付けられる。補強具１５は、吊りボルト９１の添え木として作用する補強杆体１６と、この補強杆体１６を吊りボルト９１に連結固定するための上下一対の連結具Ｒ、Ｒとより構成されている（図６（ｂ））。
【先行技術文献】
【特許文献】
【０００５】
【特許文献１】特開２０１２−２６１８６号公報
【発明の概要】
【発明が解決しようとする課題】
【０００６】
しかし、上記した吊りボルト５０の補強においては補強ネジ棒５１や取付金具５２，５３が、また特許文献１の補強具１５では補強杆体１６や連結具Ｒが必要であり、補強に時間とコストがかかるという課題があった。
【０００７】
本発明は、以上の課題に着目して成されたもので、吊りボルトを安く、簡便に補強することができる吊りボルト補強具を提供することを目的とする。
【課題を解決するための手段】
【０００８】
本発明は上記課題を解決するため、以下の構成を備えるものである。
【０００９】
（１）吊りボルトの補強に用いられる吊りボルト補強具であって、
断面がＬ字形状の柱状体と、
前記柱状体の内側の２面に、前記柱状体に対して垂直に設置された複数の爪部と、を有し、
前記複数の爪部が、千鳥状に配置されていることを特徴とする吊りボルト補強具。
【００１０】
（２）前記爪部の先端形状が、丸み形状であることを特徴とする前記（１）記載の吊りボルト補強具。
【００１１】
（３）前記吊りボルト補強具の材料が金属であって、
前記爪部が前記柱状体を曲げ起こして形成される、または前記爪部が前記柱状体に溶接で固定されることを特徴とする前記（１）または（２）に記載の吊りボルト補強具。
【００１２】
（４）前記吊りボルト補強具の材料が、硬質ゴムまたは樹脂であることを特徴とする前記（１）または（２）に記載の吊りボルト補強具。
【発明の効果】
【００１３】
本発明によれば、吊りボルトを安く、簡便に補強することができる吊りボルト補強具を提供することができる。
【図面の簡単な説明】
【００１４】
【図１】実施例の吊りボルト補強具を説明するための図
【図２】実施例の他の吊りボルト補強具を説明するための図
【図３】実施例の吊りボルト補強具を用いて天井裏に空調機を設置した状態を示す図
【図４】実施例の吊りボルト補強具を用いて軒樋吊り具を補強した状態を示す図
【図５】従来の屋根裏の空調機の設置状態を示す図
【図６】従来の軒樋吊り具の吊りボルト用の補強具を示す図
【発明を実施するための形態】
【００１５】
以下、本発明を実施するための形態を、実施例により詳しく説明する。
【実施例】
【００１６】
本発明の吊りボルト補強具が吊りボルトに装着された状態を図１（ａ）に示す。吊りボルト補強具１０は、金属、硬質ゴム、樹脂等の材料によって作成される。以下では、吊りボルト補強具１０は金属により作成されているものとする。吊りボルト補強具１０は、断面がＬ字形状の柱状体１０ａと爪部１０ｂによって構成されている。爪部１０ｂは図１（ｂ）に示したように、切欠き部１０ｃを形成して曲げ起こして形成しても良いし、図１（ｃ）の吊りボルト補強金具２０ように点溶接の溶接部２０ｃによって固定しても良い。吊りボルト補強金具２０は、吊りボルト補強具１０と同様に断面がＬ字形状の柱状体２０ａと爪部２０ｂを有している。また、爪部１０ｂ，２０ｂは、吊りボルト５０の軸方向に沿って、千鳥の状態に配置されている。これは、吊りボルト５０を吊りボルト補強金具１０，２０に押し込みやすくするためである。爪部１０ｂ，２０ｂの形成位置は、吊りボルト５０を挟み込んだ状態で、吊りボルト５０ががたつかないような位置に形成されているものとする。なお、図１に示した吊りボルト補強金具１０，２０では、爪部１０ｂ，２０ｂの先端部がＲ形状を有している。これは、吊りボルト５０が吊りボルト補強金具１０，２０に容易に挿入できるようにするためである。
【００１７】
図２は、本発明の吊りボルト補強具の他の例を示した図である。図２の吊りボルト補強具３０，４０は、図１の吊りボルト補強具１０，２０と異なり、爪部３０ｂ，４０ｂの先端部がＲ形状を有していない。爪部の先端部をＲ形状に加工するにはより多くの時間とコストが発生するため、先端部のＲ形状を省略したものである。図２（ａ）は、吊りボルト５０が吊りボルト補強具３０に装着された状態を示す。図２（ｂ）は吊りボルト補強具３０の爪部３０ｂが曲げ起こして形成された場合を示し、図２（ｃ）は吊りボルト補強具４０の爪部４０ｂが点溶接の溶接部４０ｃによって固定された場合を示している。
【００１８】
図３は、本発明の吊りボルト補強具の使用状態を示す図である。空調機６０は、天井板６５の裏側に４本の吊りボルト５０によって天井コンクリート７０に固定されている。吊りボルト５０の天井コンクリート７０側の端部は、天井コンクリート７０に埋め込まれたアンカーボルト（不図示）にねじ込まれており、他方の端部は空調機６０の取付座６０ａにナットＮによって固定されている。吊りボルト補強具１０は、４本の吊りボルト５０のそれぞれに設置されており、爪部１０ｂの間に吊りボルト５０を押し込むことによって固定される。なお、爪部１０ｂの間に吊りボルト５０を押し込むことによって吊りボルト５０のネジ部は変形する。しかし、吊りボルト５０のネジ部は、吊りボルト５０の両端部で有効であればよいので、ネジ部は変形してもよい。
【００１９】
吊りボルト５０を吊りボルト補強具１０で補強することで、十分な耐震性を確保して空調機６０を設置することができる。
【００２０】
図４は、本発明の吊りボルト補強具１０の他の使用状態を示す図である。吊りボルト補強具１０は、軒樋を支持する吊りボルト９１を補強するために設置されている。既に述べた従来の補強具と比較して極めて簡便に吊りボルトを補強できる。
【００２１】
本発明の吊りボルト補金具によれば、空調機や軒樋等の設置に用いられる吊りボルトを安く、簡便に補強することができる。
【符号の説明】
【００２２】
１０    吊りボルト補強金具
１０ａ  柱状体
１０ｂ  爪部
１０ｃ  切欠き部
２０    吊りボルト補強金具
２０ａ  柱状体
２０ｂ  爪部
２０ｃ  溶接部
２２    軒樋吊り具
２２ａ  樋耳保持部
２３    ナット
２４    山座
２５    防水パッキン
３０    吊りボルト補強金具
３０ａ  柱状体
３０ｂ  爪部
３０ｃ  切欠き部
３３    折板屋根
３３ａ  軒先部
４０    吊りボルト補強金具
４０ａ  柱状体
４０ｂ  爪部
４０ｃ  溶接部
５０    吊りボルト
６０    空調機
６０ａ  取付座
６５    天井板
７０    天井コンクリート
９１    吊りボルト
Ｂ      ボルト
Ｎ      ナット
【要約】
【課題】空調機や軒樋等の設置に用いられる吊りボルトを安く、簡便に補強することを目的とする。
【解決手段】吊りボルト５０の補強に用いられる吊りボルト補強具１０であって、断面がＬ字形状の柱状体１０ａと、柱状体１０ａの内側の２面に、柱状体１０ａに対して垂直に設置された複数の爪部１０ｂとを有し、複数の爪部１０ｂが、千鳥状に配置されていることを特徴とする吊りボルト補強具。
【選択図】図１【図１】
0005648202.tif 000002
【図２】
0005648202.tif 000003
【図３】
0005648202.tif 000004
【図４】
0005648202.tif 000005
【図５】
0005648202.tif 000006
【図６】
0005648202.tif 000007